(57)【要約】【課題】除菌すすぎが行われた後において、ドアがロックされるドアロック時間を短縮する。【解決手段】本発明の洗濯機は、洗濯機本体内に配置されたドラムに通常の給水を行うための給水路と、ドラムにオゾン水の給水を行うためのオゾン給水路と、オゾン給水路内にオゾンを発生させるオゾン電極と、ドラムに給湯を行うための給湯路と、洗濯機本体に開閉可能に設けられたドアをロック状態またはロック解除状態に切り替えるドアロック装置を制御する制御手段とを備え、オゾン給水路からドラム内にオゾン水が給水された状態ですすぎを行う除菌すすぎ工程が行われた後に、給湯路からドラムに給湯が行われた状態で給湯すすぎ工程が実施される。【選択図】図８
2020103567.tif 000002
【特許請求の範囲】
【請求項１】
洗濯機本体内に配置されたドラムに通常の給水を行うための給水路と、
前記ドラムにオゾン水の給水を行うためのオゾン給水路と、
前記オゾン給水路内にオゾンを発生させるオゾン電極と、
前記ドラムに給湯を行うための給湯路と、
前記洗濯機本体に開閉可能に設けられたドアをロック状態またはロック解除状態に切り替えるドアロック装置を制御する制御手段とを備え、
前記オゾン給水路から前記ドラム内にオゾン水が給水された状態ですすぎを行う除菌すすぎ工程が行われた後に、前記給湯路から前記ドラムに給湯が行われた状態で給湯すすぎ工程が実施されることを特徴とする洗濯機。
【請求項２】
前記除菌すすぎ工程が行われた後において前記ドアをロック状態に維持するドアロック時間を決定するドアロック時間決定手段と、
前記給湯すすぎ工程における前記ドラム内の水温に基づいて、前記ドアロック時間の短縮速度を決定する短縮速度決定手段とを備え、
前記短縮速度決定手段は、前記給湯すすぎ工程における前記ドラム内の水温が高いほど前記短縮速度が速くなるように、前記短縮速度を決定することを特徴とする請求項１に記載の洗濯機。
【請求項３】
前記給湯すすぎ工程における前記ドラム内の水位が高いほど前記短縮速度が速くなるように、前記短縮速度を補正する短縮速度補正手段を備えることを特徴とする請求項２に記載の洗濯機。
【請求項４】
前記給湯すすぎ工程におけるすすぎ時間が長いほど前記短縮速度が速くなるように、前記短縮速度を補正する短縮速度補正手段を備えることを特徴とする請求項２に記載の洗濯機。
【請求項５】
洗濯機本体内に配置されたドラムに通常の給水を行うための給水路と、
前記ドラムにオゾン水の給水を行うためのオゾン給水路と、
前記オゾン給水路内にオゾンを発生させるオゾン電極と、
前記ドラムに給湯を行うための給湯路と、
前記ドラム内の洗濯物の偏りを検出する偏芯検出手段とを備え、
前記オゾン給水路から前記ドラム内にオゾン水が給水された状態ですすぎを行う除菌すすぎ工程が行われた後で脱水工程を行うものであり、
脱水工程において前記偏芯検出手段で検出される洗濯物の偏りが所定の偏り以上であることにより脱水工程が中止された場合に、前記給湯路から前記ドラムに給湯が行われることを特徴とする洗濯機。
【請求項６】
洗濯機本体内に配置されたドラムに通常の給水を行うための給水路と、
前記ドラムにオゾン水の給水を行うためのオゾン給水路と、
前記オゾン給水路内にオゾンを発生させるオゾン電極と、
前記ドラムに給湯を行うための給湯路と、
前記ドラム内における水温を検出する水温検出センサと、
前記洗濯機本体に開閉可能に設けられたドアをロック状態またはロック解除状態に切り替えるドアロック装置を制御する制御手段と、
前記オゾン給水路から前記ドラム内にオゾン水が給水された状態ですすぎを行う除菌すすぎ工程における前記ドラム内の水温に基づいて、前記ドアをロック状態に維持するドアロック時間を決定するドアロック時間決定手段と、
前記除菌すすぎ工程における前記ドラム内の水温に基づいて、前記ドアロック時間の第１短縮速度を決定する第１短縮速度決定手段と、
前記除菌すすぎ工程が行われた後に前記給湯路から前記ドラムに給湯が行われた状態で実施される給湯すすぎ工程における前記ドラム内の水温に基づいて、前記ドアロック時間の第２短縮速度を決定する第２短縮速度決定手段とを備え、
前記除菌すすぎ工程が行われた後において前記給湯すすぎ工程が行われるまでは、前記ドアロック時間を前記第１短縮速度に基づいて短縮し、前記給湯すすぎ工程が行われた後は、前記ドアロック時間を前記第２短縮速度に基づいて短縮することを特徴とする洗濯機。
【発明の詳細な説明】
【技術分野】
【０００１】
本発明は、例えば、洗い工程、すすぎ工程及び脱水工程を行う洗濯機に関する。
【背景技術】
【０００２】
従来の洗濯機には、洗い工程から、すすぎ工程及び脱水工程までを自動的に行う乾燥機能を有しない洗濯機と、洗い工程から、すすぎ工程、脱水工程及び乾燥工程までを自動的に行う乾燥機能を有する洗濯機がある。
【先行技術文献】
【特許文献】
【０００３】
【特許文献１】特開２０１８−３３５１２号公報
【発明の概要】
【発明が解決しようとする課題】
【０００４】
従来の洗濯機において、ドラム内にオゾンを供給し、オゾン水により洗濯物をすすぐ工程（いわゆる除菌すすぎ）を行うことが考えられる。したがって、この洗濯機では、オゾン発生装置によりオゾンを発生させ、そのオゾンがドラム内に供給されるが、ドラム内に供給されたオゾンの全てが水に溶け込まないことから、オゾンがドラム内に充満する。
【０００５】
通常の運転では、除菌すすぎが行われた後、脱水工程が行われて洗濯が終了することから、洗濯が適正に終了した場合、ドラム内のオゾン濃度は低くなっており、洗濯機のドアを開放しても問題はない。
【０００６】
しかしながら、脱水工程において洗濯物の偏りが大きいと脱水の立ち上げができない場合がある。洗濯機では、脱水工程が中断された場合、洗濯物のほぐし運転を行った後で脱水工程が再開されるが、その後、脱水工程の中断が所定回数繰り返されると、脱水の立ち上げができないことから、脱水工程が中止される。
【０００７】
その場合、洗濯機の表示部にエラー表示をして、ユーザに洗濯物のほぐし動作を促す処理が行われる。その際、洗濯が適正に終了してないことから、ドラム内のオゾン濃度は十分に低くなっていない。したがって、洗濯機において除菌すすぎが行われた場合、その後、ドラム内のオゾン濃度が十分に低くなるまでは、洗濯機のドアが開放されないようにロックされる。
【０００８】
したがって、脱水工程が中止された場合、ドラムが停止しているにもかかわらず、ドラム内のオゾン濃度が十分に低下するまで、洗濯機のドアを開放することができない。よって、ユーザは、洗濯物のほぐし動作を行うことができないことから、洗濯機の運転が長時間停止されることになる。
【０００９】
また、オゾンの水に対する溶解度は、水温に応じて異なることが知られている。例えば、図１６は、純水に対する酸素とオゾンの溶解度（文献  環境分野におけるオゾン利用の実際（医療・環境オゾン研究会  増刊３号  ２００７）の表１−６から引用）を示している。オゾンの溶解度は、水温が０℃のときに、１．１２４ｇ／Ｌであるのに対して、水温が２５℃のときに、０．６１３ｇ／Ｌである。したがって、水温が２５℃の場合、水温が０℃の場合と比べて、オゾンは水に溶け難いことが分かる。
【００１０】
洗濯機において除菌すすぎを行うためには、ドラム内に所定濃度のオゾン水が必要であり、オゾン電極により所定量のオゾンを発生するために、オゾン電極に対する通電が行われる。給水温度が低い場合、オゾンが水に溶け込みやすいことから、ドラム内に給水されるオゾン水の濃度が高くなる。これに対し、給水温度が高い場合、オゾンが水に溶け難いことから、ドラム内に給水されるオゾン水の濃度が低くなる。
【００１１】
洗濯機では、種々の給水温度に対応可能にするために、給水温度が高くオゾンが水に溶け難いときであっても、除菌すすぎを行うために必要な所定濃度のオゾン水が得られるように、高い給水温度に合わせてオゾン電極の通電時間を長く設定しておく必要がある。
【００１２】
そのため、従来、給水温度にかかわらず、オゾン電極の通電時間が一定に設定されていたことから、給水温度が低い場合に、オゾン電極の通電時間が必要以上に長く設定されていた。これにより、給水温度が低い場合に、ドラム内のオゾン濃度が必要以上に高くなる可能性があった。
【００１３】
したがって、洗濯機では、除菌すすぎ後においてドラム内のオゾン濃度が高いときであっても、ドラム内のオゾン濃度が十分に低下するまでドアのロックが解除されないように、ドアロック時間を長く設定する必要があった。従来、給水温度にかかわらず、ドアロック時間が一定に設定されていたことから、ドアロック時間が長く設定されることにより、洗濯機の運転効率が低下する問題がある。
【００１４】
そこで、本発明は、除菌すすぎが行われた後において、ドアがロックされるドアロック時間を短縮することにより運転効率を向上させることが可能な洗濯機を提供することを目的とする。
【課題を解決するための手段】
【００１５】
そこで、本発明の発明者は、除菌すすぎが行われた後において、ドラム内のオゾン濃度が十分に低下するまでの時間を短縮する方法を検討した結果、除菌すすぎが行われた後、ドラム内に給湯することで、オゾン分解が促進し、ドラム内のオゾン濃度が十分に低下するまでの時間が短縮可能であることを見出した。
【００１６】
本発明は、除菌すすぎが行われた後、ドラム内に給湯した状態ですすぎ運転を行うことで、ドラム内のオゾン濃度が十分に低下するまでの時間を短縮する発明である。
【００１７】
また、本発明は、除菌すすぎが行われた後の脱水工程において、洗濯物の偏りが大きいことにより脱水工程が中止された場合に、ドラムに給湯することで、ドラム内のオゾン濃度が十分に低下するまでの時間を短縮する発明である。
【００１８】
すなわち、本発明の洗濯機は、洗濯機本体内に配置されたドラムに通常の給水を行うための給水路と、前記ドラムにオゾン水の給水を行うためのオゾン給水路と、前記オゾン給水路内にオゾンを発生させるオゾン電極と、前記ドラムに給湯を行うための給湯路と、前記洗濯機本体に開閉可能に設けられたドアをロック状態またはロック解除状態に切り替えるドアロック装置を制御する制御手段とを備え、前記オゾン給水路から前記ドラム内にオゾン水が給水された状態ですすぎを行う除菌すすぎ工程が行われた後に、前記給湯路から前記ドラムに給湯が行われた状態で給湯すすぎ工程が実施されることを特徴とする。
【００１９】
本発明の洗濯機において、前記除菌すすぎ工程が行われた後において前記ドアをロック状態に維持するドアロック時間を決定するドアロック時間決定手段と、前記給湯すすぎ工程における前記ドラム内の水温に基づいて、前記ドアロック時間の短縮速度を決定する短縮速度決定手段とを備え、前記短縮速度決定手段は、前記給湯すすぎ工程における前記ドラム内の水温が高いほど前記短縮速度が速くなるように、前記短縮速度を決定することが好適である。
【００２０】
本発明の洗濯機において、前記給湯すすぎ工程における前記ドラム内の水位が高いほど前記短縮速度が速くなるように、前記短縮速度を補正する短縮速度補正手段を備えることが好適である。
【００２１】
本発明の洗濯機において、前記給湯すすぎ工程におけるすすぎ時間が長いほど前記短縮速度が速くなるように、前記短縮速度を補正する短縮速度補正手段を備えることが好適である。
【００２２】
本発明の洗濯機は、洗濯機本体内に配置されたドラムに通常の給水を行うための給水路と、前記ドラムにオゾン水の給水を行うためのオゾン給水路と、前記オゾン給水路内にオゾンを発生させるオゾン電極と、前記ドラムに給湯を行うための給湯路と、前記ドラム内の洗濯物の偏りを検出する偏芯検出手段とを備え、前記オゾン給水路から前記ドラム内にオゾン水が給水された状態ですすぎを行う除菌すすぎ工程が行われた後で脱水工程を行うものであり、脱水工程において前記偏芯検出手段で検出される洗濯物の偏りが所定の偏り以上であることにより脱水工程が中止された場合に、前記給湯路から前記ドラムに給湯が行われることを特徴とする。
【００２３】
本発明の洗濯機は、洗濯機本体内に配置されたドラムに通常の給水を行うための給水路と、前記ドラムにオゾン水の給水を行うためのオゾン給水路と、前記オゾン給水路内にオゾンを発生させるオゾン電極と、前記ドラムに給湯を行うための給湯路と、前記ドラム内における水温を検出する水温検出センサと、前記洗濯機本体に開閉可能に設けられたドアをロック状態またはロック解除状態に切り替えるドアロック装置を制御する制御手段と、前記オゾン給水路から前記ドラム内にオゾン水が給水された状態ですすぎを行う除菌すすぎ工程における前記ドラム内の水温に基づいて、前記ドアをロック状態に維持するドアロック時間を決定するドアロック時間決定手段と、前記除菌すすぎ工程における前記ドラム内の水温に基づいて、前記ドアロック時間の第１短縮速度を決定する第１短縮速度決定手段と、前記除菌すすぎ工程が行われた後に前記給湯路から前記ドラムに給湯が行われた状態で実施される給湯すすぎ工程における前記ドラム内の水温に基づいて、前記ドアロック時間の第２短縮速度を決定する第２短縮速度決定手段とを備え、前記除菌すすぎ工程が行われた後において前記給湯すすぎ工程が行われるまでは、前記ドアロック時間を前記第１短縮速度に基づいて短縮し、前記給湯すすぎ工程が行われた後は、前記ドアロック時間を前記第２短縮速度に基づいて短縮することを特徴とする。
【発明の効果】
【００２４】
本発明の洗濯機では、除菌すすぎ工程が行われた後に、ドラムに給湯が行われた状態で給湯すすぎ工程が実施されることにより、ドラム内においてオゾン分解が促進し、ドラム内のオゾン濃度が十分に低下するまでの時間を短縮することが可能である。
【００２５】
本発明の洗濯機では、給湯すすぎ工程におけるドラム内の水温に基づいて、ドラム内の水温に応じたドアロック時間の短縮速度が決定される。したがって、ドアロック時間を適正に短縮して、ドアのロック解除を行うことが可能である。
【００２６】
本発明の洗濯機では、給湯すすぎ工程におけるドラム内の水位に基づいて、ドアロック時間の短縮速度を適正に補正することが可能である。
【００２７】
本発明の洗濯機では、給湯すすぎ工程におけるすすぎ時間に基づいて、ドアロック時間の短縮速度を適正に補正することが可能である。
【００２８】
本発明の洗濯機では、例えば洗濯物の偏りが大きいことにより脱水工程が中止された場合に、ドラムに給湯を行うことで、ドラム内においてオゾン分解が促進し、ドラム内のオゾン濃度が十分に低下するまでの時間を短縮することが可能である。
【００２９】
本発明の洗濯機では、除菌すすぎ工程が行われた後において給湯すすぎ工程が行われるまでは、ドアロック時間が、除菌すすぎ工程におけるドラム内の水温に基づいて決定された第１短縮速度に基づいて短縮され、給湯すすぎ工程が行われた後は、ドアロック時間が、給湯すすぎ工程におけるドラム内の水温に基づいて決定された第２短縮速度に基づいて短縮される。したがって、除菌すすぎ工程が行われた後において給湯すすぎ工程が行われる場合に、給湯すすぎ工程におけるドラム内の水温に基づいて、ドアロック時間の短縮速度を再設定できる。よって、ドアロック時間を適正に短縮して、ドアのロック解除を行うことが可能である。
【図面の簡単な説明】
【００３０】
【図１】本発明の第１実施形態に係る洗濯機１の構成を示す側面断面図である。
【図２】図１の洗濯機１の概略構成を示す図である。
【図３】図１のオゾン発生装置の構成を示す図である。
【図４】図１の洗濯機１の制御ブロック図である。
【図５】給湯すすぎ工程におけるすすぎ水温に応じたドアロック時間の短縮速度を示す図である。
【図６】ドアロック時間の短縮方法を示す図である。
【図７】図１の洗濯機１の洗濯コースの動作を示す図である。
【図８】図１の洗濯機１においてドアロック時間の短縮速度を決定する方法を示すフローチャートである。
【図９】本発明の第２実施形態に係る洗濯機の制御ブロック図である。
【図１０】除菌すすぎ工程における給水温度に応じたドアロック時間を示す図である。
【図１１】給湯すすぎ工程におけるすすぎ水位に応じたドアロック時間の短縮速度補正値を示す図である。
【図１２】給湯すすぎ工程におけるすすぎ時間に応じたドアロック時間の短縮速度補正値を示す図である。
【図１３】図９の洗濯機においてドアロック時間及び短縮速度を決定する方法を示すフローチャートである。
【図１４】図９の洗濯機においてドアロック時間の短縮速度を決定する方法を示すフローチャートである。
【図１５】本発明の第３実施形態に係る洗濯機の制御ブロック図である。
【図１６】オゾンの水に対する溶解度を示す図である。
【発明を実施するための形態】
【００３１】
以下、本発明の実施形態である洗濯機について、図面を参照して説明する。
【００３２】
（第１実施形態）
図１に示すように、洗濯機１は、ドラム式洗濯機であり、外観を構成する筐体である洗濯機本体１０を備える。洗濯機本体１０の前面１０ａは、中央部から上部にかけて傾斜し、傾斜した面に洗濯物の投入口１１が形成される。投入口１１は、開閉自在なドア１２により覆われる。
【００３３】
洗濯機本体１０内には、外槽２０が、複数のダンパー２１により弾性的に支持される。外槽２０内には、ドラム２２が回転自在に配される。外槽２０およびドラム２２は、水平方向に対し、後面側が低くなるよう傾斜する。これにより、ドラム２２は、水平方向に対して傾斜した方向に延びる回転軸周りに回転する。
【００３４】
外槽２０の前面の開口部２０ａおよびドラム２２の前面の開口部２２ａは、投入口１１に対向し、投入口１１ともにドア１２により閉鎖される。ドラム２２の周壁には、多数の脱水孔２２ｂが形成される。さらに、ドラム２２の周壁には、３つのバッフル２３が周方向にほぼ等しい間隔で設けられる。
【００３５】
ドラム２２の後部には、回転翼２４が回転自在に配される。回転翼２４は、ほぼ円盤形状を有する。回転翼２４の表面には、中央部から径方向外側に延びる複数の突状部２４ａが形成される。回転翼２４は、ドラム２２と同軸に回転する。
【００３６】
外槽２０の後方には、ドラム２２および回転翼２４を駆動するトルクを発生させるモータ３０が配置される。
【００３７】
図２に示すように、洗濯機１は、外槽２０内のドラム２２に通常の給水を行うための給水路５１と、給水路５１から分岐したオゾン給水路５２と、外槽２０内に給湯を行うための給湯路５３と、外槽２０内の水を排水するための排水路５４と、外槽２０内にソフト剤や洗剤を供給するためのソフト剤供給路５５および洗剤供給路５６とを備えている。給湯路５３には、給湯器５３Ａが接続されており、給湯器５３Ａに対して設定された給湯設定温度の給湯水が供給される。
【００３８】
給水路５１、給湯路５３、ソフト剤供給路５５および洗剤供給路５６は、外槽２０の上方に設けた集水導入部５７に接続され、オゾン給水路５２は、外槽２０の上方に接続され、排水路５４は、外槽２０の下方に接続されている。外槽２０の上端近傍には、水位上限を超えた水を排水するためのオーバーフロー路５８が設けてある。
【００３９】
洗濯機１は、洗い工程、すすぎ工程、除菌すすぎ工程、給湯すすぎ工程、脱水工程などを実施可能である。したがって、洗濯機１では、適宜、各給排系統のバルブである給水バルブ５１ａ、オゾン給水バルブ５２ａ、給湯バルブ５３ａ、排水バルブ５４ａが開閉されることにより、通常の給水、オゾン水の給水、給湯、排水が行われる。給水バルブ５１ａおよび給湯バルブ５３ａの上流には、それぞれ給水ストレーナ５１ｂ、５３ｂが配置される。
【００４０】
外槽２０の上端近傍には、排気路６０が接続されており、ドラム２２内の空気やオゾンは、排気路６０を通じて機外へ排出される。排気路６０には、活性炭６０ａが配置されており、排気路６０を通過するガスは、活性炭６０ａを通過した後、機外へ排出されることから、排気路６０を通過するオゾンの一部は、活性炭６０ａにより消費される。
【００４１】
洗濯機１は、ドラム２２にオゾン水を給水し、オゾン水により洗濯物をすすぐ工程（いわゆる除菌すすぎ）を行うことができる。したがって、ドラム２２の内部にオゾン水を給水するためのオゾン給水路５２には、オゾンを発生させるオゾン発生装置６１が配置される。
【００４２】
オゾン発生装置６１は、図３に示すように、オゾン給水路５２の一部に略水平に設けたオゾン発生領域６２に配置されたオゾン電極６３を含んでいる。本実施形態では、オゾン電極６３として、３本のオゾン電極６３ａ、６３ｂ、６３ｃが配置される。オゾン発生装置６１では、３本のオゾン電極６３ａ、６３ｂ、６３ｃを直列に通過させて、水の電気分解によりオゾンを発生する。
【００４３】
オゾン給水路６１のオゾン発生領域６２には、上流側に上向きに延びる第１接続部６２ａが形成され、下流側に下向きに延びる第２接続部６２ｂが形成されている。したがって、オゾン電極６３へ通電を行うことにより、オゾン電極６３の表面と接触した水が分解されてオゾンガスが発生し、そのオゾンガスが水中に溶存してオゾン水となる。
【００４４】
図４は、本実施形態の洗濯機１の制御ブロック図である。洗濯機１の制御部８０は、図４に示すように、例えば、マイクロコンピュータなどで構成されており、ＣＰＵと、洗濯機１の動作を制御するプログラムが格納されたＲＯＭと、上記プログラムを実行する際に用いられるデータ等が一時的に記憶されるＲＡＭとを備えている。洗濯機１の運転動作は、この制御部８０によって制御される。
【００４５】
制御部８０は、ドアロック時間決定部８０ａと、短縮速度決定部８０ｂと、給湯温度記憶手段８０ｃと、を有している。また、制御部８０には、操作部８１と、モータ３０と、給水バルブ５１ａと、排水バルブ５４ａと、オゾン給水バルブ５２ａと、オゾン発生装置６１と、ドアロック装置８２とが接続されている。
【００４６】
ドアロック時間決定部８０ａは、除菌すすぎ工程の後においてドア１２をロック状態に維持するドアロック時間を決定する。したがって、ドアロック時間決定部８０ａは、除菌すすぎ工程の後、ドラム２２内のオゾン濃度が規定濃度以下まで十分に低下するまでの消オゾン時間を考慮して、ドアロック時間を決定する。
【００４７】
よって、ドアロック装置８２が、ドアロック時間決定部８０ａにより決定されたドアロック時間に基づいて制御されることで、ドラム２２内のオゾン濃度が規定濃度以下まで低下するまで、ドア１２は解放されないようになる。
【００４８】
除菌すすぎ工程では、オゾン水がドラム２２内のオゾンすすぎ設定水位に到達するまで給水された後、通常の水がドラム２２内の所定水位に到達するまで給水される。除菌すすぎを行うためには、通常の水がドラム２２内の所定水位に到達するまで給水された状態において、ドラム２２内に、所定濃度以上のオゾン水が必要である。
【００４９】
したがって、オゾン水がドラム２２内のオゾンすすぎ設定水位に到達するまで給水されるオゾン水の濃度は、通常の水がドラム２２内の所定水位に到達するまで給水された後において、ドラム２２内のオゾン水の濃度が所定濃度以上になるような濃度が必要である。
【００５０】
上述したように、給水温度が低い場合、オゾンが水に溶け込みやすいことから、ドラム２２内に給水されるオゾン水の濃度は高い。これに対して、給水温度が高い場合、オゾンが水に溶け難いことから、ドラム２２内に給水されるオゾン水の濃度は低い。
【００５１】
そのため、除菌すすぎ後においてドラム内のオゾン濃度が高いときであっても、ドラム内のオゾン濃度が十分に低下するように、ドアロック時間決定部８０ｂは、給水温度が低い場合を考慮して、給水温度にかかわらず、一定のドアロック時間Ｔ０に決定する。したがって、ドアロック時間決定部８０ａにより決定されるドアロック時間Ｔ０は、給水温度が高い場合、必要以上に長くなっている。
【００５２】
短縮速度決定部８０ｂは、給湯すすぎ工程が行われた後において、給湯すすぎ工程におけるドラム２２内の水温に基づいて、ドアロック時間を短縮する速度である短縮速度を決定する。給湯すすぎ工程におけるドラム２２内の水温としては、給湯温度記憶手段８０ｃに記憶された給湯器５３Ａの給湯設定温度が使用される。なお、短縮速度決定部８０ｂは、除菌すすぎ工程の後、給湯すすぎ工程が行われるまでの短縮速度を除菌すすぎ工程の給水温度にかかわらず、一定の短縮速度ΔＴ０に決定する。
【００５３】
洗濯機１では、除菌すすぎ工程の後、ドラム２２に給湯が行われた状態で給湯すすぎ工程が行われる。ドラム２２内の水温が高いと、オゾン分解が促進され、ドラム２２内のオゾン濃度の低下が速くなる。
【００５４】
したがって、給湯すすぎ工程が行われた場合、ドアロック時間決定部８０ａにより決定されたドアロック時間が経過するまでに、ドラム２２内のオゾン濃度が規定濃度以下になる。
【００５５】
そこで、短縮速度決定部８０ｂは、給湯すすぎが行われた分、ドアロック時間が０に速く到達するように、給湯すすぎ工程におけるドラム２２内の水温に基づいて短縮速度を決定する。短縮速度は、オゾンが一定時間ごとに分解される速度である。給湯すすぎ工程におけるドラム２２内の水温としては、給湯温度記憶部８０ｃに記憶された給湯設定温度が使用される。
【００５６】
具体的には、短縮速度決定部８０ｂは、図５に示すように、給湯すすぎ工程におけるすすぎ水温ＴＳがＴＳ１℃より低い場合に、短縮速度をΔＴ１に決定し、すすぎ水温ＴＳがＴＳ１℃以上且つＴＳ２℃より低い場合に、短縮速度をΔＴ２に決定し、すすぎ水温ＴＳがＴＳ２℃以上の場合に、短縮速度をΔＴ３に決定する。図５おいて、ＴＳ１＜ＴＳ２であり、０＜ΔＴ１＜ΔＴ２＜ΔＴ３である。したがって、所定のドアロック時間が０になるまでの時間は、短縮速度が速いほど短い。
【００５７】
例えば、ドアロック時間決定部８０ａにより決定されたドアロック時間がＴであり、短縮速度決定部８０ｂにより決定された短縮速度がΔＴである場合、図６に示すように、ドアロック時間Ｔは、一定時間ｔが経過するたびに短縮速度ΔＴが短縮される。したがって、ドアロック時間Ｔ−ｎ・ΔＴ（但し、ｎは整数）が０に到達すると、ドラム２２内のオゾン濃度が規定濃度以下になったことになる。
【００５８】
給湯温度記憶手段８０ｃは、給湯路５３が接続された給湯器５３Ａの給湯設定温度を記憶する。
【００５９】
操作部８１は、除菌すすぎを行うための除菌すすぎボタン８１ａを含んでいる。操作部８１は、ユーザに操作されたボタンに応じた入力信号を制御部８０に出力する。
【００６０】
制御部８０は、モータ３０を制御することにより、ドラム２２の回転数を制御する。
【００６１】
制御部８０は、給水バルブ５１ａ及び排水バルブ５４ａを制御することにより、外槽２０内への給水及び外槽２０内からの排水を行う。
【００６２】
制御部８０は、オゾン給水バルブ５２ａ及びオゾン発生装置６１を制御することにより、除菌すすぎが行われる場合に、オゾン給水路５２からオゾン水をドラム２２内に給水する。
【００６３】
制御部８０は、ドア１２をロック状態またはロック解除状態に切り替えるドアロック装置８２を制御することにより、ドア１２のロックおよびロック解除を行う。
【００６４】
次に、洗濯機１の運転動作について、図７に基づいて説明する。洗濯機１は、例えば、洗い工程、すすぎ工程、除菌すすぎ工程、給湯すすぎ工程および脱水工程を有し、且つ、乾燥工程を有しない洗濯コースの運転を行なうことが可能である。なお、本実施形態では、ユーザが、洗い工程終了までに、操作部８１の除菌すすぎボタン８１ａを押し、所定の金額を投入することによって、オゾン水を使用した除菌すすぎ工程が行われる場合について説明する。
【００６５】
＜ステップＳ１：洗い工程＞
ステップＳ１では、まず、使用者によって、ドア１２が開けられ、ドラム２２内に洗濯物が収容されて、ドア１２が閉じられる。洗い工程が開始されると、制御部８０は、通常の洗濯水を給水するための給水バルブ５１ａを開いて、ドラム２２に通常の水を給水する。この際、制御部８０は、排水バルブ５４ａを閉じていて、給水された水は、外槽２０及びドラム２２内に溜められる。そして、所定量の水が給水されると、制御部８０は、給水バルブ５１ａを閉じて、モータ３０を駆動（ＯＮ）し、ドラム２２を回転させる。
【００６６】
そして、所定時間の洗い動作が終了すると、制御部８０は、排水バルブ５４ａを開いて、ドラム２２内の洗浄水を、排水路５４を介して機外へ排水する。排水後、制御部８０は、モータ３０によってドラム２２を高速回転させ、洗濯物に含まれる洗濯水が脱水される中間脱水を行う。中間脱水によって洗濯物から脱水された洗濯水は、ドラム２２内に放出され、排水路５４を介して機外へ排水される。
【００６７】
＜ステップＳ２：すすぎ工程＞
ステップＳ１において、洗い工程が終了すると、ステップＳ２では、すすぎ工程が行われる。すすぎ工程が開始されると、制御部８０は、排水バルブ５４ａを閉じて、通常の洗濯水を給水するための給水バルブ５１ａを開いて、ドラム２２に所定量のすすぎ水を給水する。そして、所定量の水が給水されると、制御部８０は、給水バルブ５１ａを閉じて、モータ３０によってドラム２２を回転させて、ドラム２２内の洗濯物のすすぎを所定時間行う。
【００６８】
すすぎが終了すると、制御部８０は、排水バルブ５４ａを開いて、ドラム２２内のすすぎ水を、排水路５４を介して機外へ排水する。排水後、上記同様の脱水動作によって中間脱水が行われ、洗濯物に含まれるすすぎ水が脱水される。この脱水されたすすぎ水も上記同様に、排水路５４を介して機外へ排水される。
【００６９】
＜ステップＳ３：除菌すすぎ工程＞
ステップＳ２において、すすぎ工程が終了すると、ステップＳ３では、除菌すすぎ工程が行われる。除菌すすぎ工程が開始されると、制御部８０は、排水バルブ５４ａを閉じて、オゾン給水バルブ５２ａを開いて、オゾン給水路５２を介してドラム２２にオゾン水を給水する。その後、制御部８０は、オゾン給水バルブ５２ａを閉じて、オゾン水の給水を停止し、通常の水を給水するための給水バルブ５１ａを開いて、ドラム２２に通常の水をすすぎ水として給水する。
【００７０】
そして、すすぎ水が給水されると、制御部８０は、モータ３０によってドラム２２を回転させて、オゾン水によってドラム２２内の洗濯物の除菌すすぎを所定時間行う。除菌すすぎが終了すると、制御部８０は、排水バルブ５４ａを開いて、ドラム２２内のすすぎ水を、排水路５４を介して機外へ排水する。
【００７１】
＜ステップＳ４：給湯すすぎ工程＞
ステップＳ３において、除菌すすぎ工程が終了すると、ステップＳ４では、給湯すすぎ工程が行われる。給湯すすぎ工程が開始されると、制御部８０は、排水バルブ５４ａを閉じて、給湯バルブ５３ａを開いて、給湯路５３を介してドラム２２に給湯を行う。なお、給湯を開始する際にドラム２２内に水がある場合、制御部８０は、排水バルブ５４ａを開いて、ドラム２２内の水を排水した後で、給湯バルブ５３ａを開いて、給湯路５３を介してドラム２２に給湯を行う。したがって、ドラム２２内の水温の低い水と給湯水とが混合されるのを防止することが可能である。
【００７２】
そして、給湯が終了すると、制御部８０は、モータ３０によってドラム２２を回転させて、給湯水によってドラム２２内の洗濯物の給湯すすぎを所定時間行う。給湯すすぎが終了すると、制御部８０は、排水バルブ５４ａを開いて、ドラム２２内のすすぎ水を、排水路５４を介して機外へ排水する。
【００７３】
＜ステップＳ５：脱水工程＞
ステップＳ４において、給湯すすぎ工程が終了すると、ステップＳ５では、脱水工程が行われる。脱水工程が開始されると、制御部８０は、ドラム２２の回転数を目標回転数に向けて上昇させ、目標回転数に到達すると、所定脱水時間が経過するまで脱水運転を行う。脱水工程が終了すると、制御部８０は、ドラム２２の回転を停止し、洗濯コースの動作を終了する。脱水工程で脱水された水も上記同様に、排水路５４を介して機外に排水される。
【００７４】
本実施形態において、ドアロック時間の短縮速度が決定される手順について、図８に基づいて説明する。
【００７５】
＜ステップＳ１０１＞
ステップＳ１０１において、給湯すすぎ工程が開始されると、制御部８０は、給湯バルブ５３ａを開にして、給湯路５３を介して、ドラム２２に給湯を行う。
【００７６】
＜ステップＳ１０２＞
ステップＳ１０２において、制御部８０は、ドラム２２内のすすぎ水位が給湯すすぎ設定水位に到達するまで、ドラム２２に給湯を継続する。
【００７７】
＜ステップＳ１０３＞
ドラム２２内のすすぎ水位が給湯すすぎ設定水位に到達すると、ステップＳ１０３において、制御部８０は、給湯を停止する。
【００７８】
＜ステップＳ１０４＞
ステップＳ１０４において、制御部８０は、給湯温度記憶部８０ａに記憶された給湯設定温度がＴｎ１℃より低いか否かを判定する。
【００７９】
＜ステップＳ１０５＞
ステップＳ１０４で、制御部８０が、給湯設定温度がＴｎ１℃より低いと判定した場合、ステップＳ１０５において、制御部８０は、短縮速度をΔＴ１に決定して、処理を終了する。
【００８０】
＜ステップＳ１０６＞
ステップＳ１０４で、制御部８０が、給湯設定温度がＴｎ１℃以上と判定した場合、ステップＳ１０６に進んで、制御部８０は、給湯設定温度がＴｎ２℃より低いか否かを判定する。
【００８１】
＜ステップＳ１０７＞
ステップＳ１０６で、制御部８０が、給湯設定温度がＴｎ２℃より低いと判定した場合、ステップＳ１０７において、制御部８０は、短縮速度をΔＴ２に決定して、処理を終了する。
【００８２】
＜ステップＳ１０８＞
ステップＳ１０６で、制御部８０が、給湯設定温度がＴｎ２℃以上と判定した場合、ステップＳ１０８に進んで、制御部８０は、短縮速度をΔＴ３に決定して、処理を終了する。
【００８３】
本実施形態の洗濯機１は、洗濯機本体１０内に配置されたドラム２２に通常の給水を行うための給水路５１と、ドラム２２にオゾン水の給水を行うためのオゾン給水路５２と、オゾン給水路５２内にオゾンを発生させるオゾン電極６３と、ドラム２２に給湯を行うための給湯路５３と、洗濯機本体１０に開閉可能に設けられたドア１２をロック状態またはロック解除状態に切り替えるドアロック装置８２を制御する制御手段である制御部８０とを備え、オゾン給水路５２からドラム２２内にオゾン水が給水された状態ですすぎを行う除菌すすぎ工程が行われた後に、給湯路５３からドラム２２に給湯が行われた状態で給湯すすぎ工程が実施される。
【００８４】
これにより、本実施形態の洗濯機１では、除菌すすぎ工程が行われた後に、ドラム２２に給湯が行われた状態で給湯すすぎ工程が実施されることにより、ドラム２２内においてオゾン分解が促進し、ドラム２２内のオゾン濃度が十分に低下するまでの時間を短縮することが可能である。したがって、ドア１２がロックされるドアロック時間を短縮することが可能である。また、活性炭６０ａ及び止水パッキンの使用期間を延ばすことが可能である。
【００８５】
本実施形態の洗濯機１は、除菌すすぎ工程が行われた後においてドア１２をロック状態に維持するドアロック時間を決定するドアロック時間決定手段であるドアロック時間決定部８０ａと、給湯すすぎ工程におけるドラム２２内の水温に基づいて、ドアロック時間の短縮速度を決定する短縮速度決定手段である短縮速度決定部８０ｂとを備え、短縮速度決定部８０ｂは、給湯すすぎ工程におけるドラム２２内の水温が高いほど短縮速度が速くなるように、短縮速度を決定する。
【００８６】
これにより、本実施形態の洗濯機１では、給湯すすぎ工程におけるドラム２２内の水温に基づいて、ドラム２２内の水温に応じたドアロック時間の短縮速度が決定される。したがって、ドアロック時間を適正に短縮して、ドア１２のロック解除を行うことが可能である。
【００８７】
（第２実施形態）
本発明の第２実施形態の洗濯機について、図９〜図１５に基づいて説明する。
【００８８】
本実施形態の洗濯機が第１実施形態の洗濯機１と主に異なる点は、第１実施形態では、一定のドアロック時間が決定されるのに対して、本実施形態では、給水温度に応じたドアロック時間が決定される点と、第１実施形態では、給湯すすぎ工程における水温に応じた短縮速度が決定されるのに対して、本実施形態では、給湯すすぎ工程における水温に応じた短縮速度が決定された後、その短縮速度が給湯すすぎ工程におけるドラム内のすすぎ水位及びすすぎ時間に基づいて補正される点である。また、本実施形態の洗濯機は、ドラム２２内の水温を検出する水温検出センサ８５を備えている。本実施形態の洗濯機の構成において、第１実施形態の洗濯機１と同様の構成については説明を省略する。
【００８９】
制御部１８０は、図９に示すように、ドアロック時間決定部１８０ａと、短縮速度決定部１８０ｂとを有している。短縮速度決定部１８０ｂは、補正部１８０ｃを含んでいる。また、制御部１８０には、操作部８１と、モータ３０と、給水バルブ５１ａと、排水バルブ５４ａと、オゾン給水バルブ５２ａと、オゾン発生装置６１と、ドアロック装置８２と、ドラム２２内の水の温度を検出する水温検出センサ８５とが接続されている。
【００９０】
ドアロック時間決定部１８０ａは、除菌すすぎ工程における給水温度に基づいて、除菌すすぎ工程の後においてドア１２をロック状態に維持するドアロック時間を決定する。給水温度としては、オゾン水の給水が終了し、オゾン電極６３の通電停止時において、水温検出センサ８５により検出されたドラム２２内の水温が使用される。
【００９１】
具体的には、ドアロック時間決定部１８０ａは、図１０に示すように、給水温度ＴｐがＴｐ１℃より低い場合に、ドアロック時間をＴ１に決定し、給水温度ＴｐがＴｐ１℃以上且つＴｐ２℃より低い場合に、ドアロック時間をＴ２に決定し、給水温度ＴｐがＴｐ２℃以上の場合に、ドアロック時間をＴ３に決定する。図１０において、Ｔｐ１＜Ｔｐ２であり、Ｔ１＞Ｔ２＞Ｔ３である。
【００９２】
すなわち、給水温度が低い場合、オゾンが水に溶け込みやすいことから、ドラム２２内に給水されるオゾン水の濃度が高いため、ドアロック時間決定部１８０ａは、ドアロック時間を比較的長い時間に決定する。これに対し、給水温度が高い場合、オゾンが水に溶け難いことから、ドラム２２内に給水されるオゾン水の濃度が低いため、ドアロック時間決定部１８０ａは、ドアロック時間を比較的短い時間に決定する。
【００９３】
（１）短縮速度決定部１８０ｂは、除菌すすぎ工程における給水温度に基づいて、除菌すすぎ工程の後においてドアロック時間を短縮する速度である第１短縮速度を決定する。給水温度としては、オゾン水の給水が終了し、オゾン電極６３の通電停止時において、水温検出センサ８５により検出されたドラム２２内の水温が使用される。
【００９４】
具体的には、短縮速度決定部８０ｂは、図１０に示すように、給水温度ＴｐがＴｐ１℃より低い場合に、短縮速度をΔＴ１’に決定し、給水温度ＴｐがＴｐ１℃以上且つＴｐ２℃より低い場合に、短縮速度をΔＴ２’に決定し、給水温度ＴｐがＴｐ２℃以上の場合に、短縮速度をΔＴ３’に決定する。図１０において、Ｔｐ１＜Ｔｐ２であり、０＜ΔＴ１’＜ΔＴ２’＜ΔＴ３’である。したがって、ドアロック時間が０になるまでの時間は、短縮速度が速いほど短い。
【００９５】
（２）短縮速度決定部１８０ｂは、給湯すすぎ工程におけるドラム２２内の水温に応じた短縮速度に基づいて、ドアロック時間を短縮する速度である第２短縮速度を決定する。給湯すすぎ工程におけるドラム２２内の水温としては、給湯すすぎ工程において、水温検出センサ８５により検出されたドラム２２内の水温が使用される。
【００９６】
具体的には、短縮速度決定部１８０ｂは、第１実施形態と同様に、図５に示すように、給湯すすぎ工程におけるすすぎ水温ＴＳがＴＳ１℃より低い場合に、短縮速度をΔＴ１に決定し、すすぎ水温ＴＳがＴＳ１℃以上且つＴＳ２℃より低い場合に、短縮速度をΔＴ２に決定し、すすぎ水温ＴＳがＴＳ２℃以上の場合に、短縮速度をΔＴ３に決定する。図５において、ＴＳ１＜ＴＳ２であり、ΔＴ１＜ΔＴ２＜ΔＴ３である。したがって、所定のドアロック時間が０になるまでの時間は、短縮速度が速いほど短い。
【００９７】
したがって、短縮速度決定部１８０ｂは、除菌すすぎ工程が行われた後において給湯すすぎ工程が行われるまでは、ドアロック時間を短縮する短縮速度を、第１短縮速度に決定する。これにより、除菌すすぎ工程が行われた後において、給湯すすぎ工程が行われるまでは、ドアロック時間が第１短縮速度に基づいて短縮される。
【００９８】
短縮速度決定部１８０ｂは、給湯すすぎ工程が行われた後は、ドアロック時間を短縮する短縮速度を、第２短縮速度に決定する。これにより、給湯すすぎ工程が行われた後は、ドアロック時間が第２短縮速度に基づいて短縮される。
【００９９】
よって、洗濯機１において、除菌すすぎ工程が行われた後において給湯すすぎ工程が行われるまでに決定されていた第１短縮速度が、給湯すすぎ工程が行われた後において、第２短縮速度に再設定される。
【０１００】
補正部１８０ｃは、給湯すすぎ工程におけるドラム２２内のすすぎ水位及びすすぎ時間に基づいて補正する。給湯すすぎ工程におけるドラム２２内のすすぎ水位は、洗濯機において予め設定されている。
【０１０１】
具体的には、補正部１８０ｃは、図１１に示すように、すすぎ水位ＨｔがＨ１より低い場合に、短縮速度補正値をΔＴｈ１に決定し、すすぎ水位ＨｔがＨ１以上且つＨ２より低い場合に、短縮速度補正値をΔＴｈ２に決定し、すすぎ水位ＨｔがＨ２以上の場合に、短縮速度補正値をΔＴｈ３に決定する。図１１において、Ｈｔ＜Ｈ２であり、０＜ΔＴｈ１＜ΔＴｈ２＜ΔＴｈ３である。
【０１０２】
したがって、補正部１８０ｃは、短縮速度補正値の分、短縮速度決定部１８０ｂにより決定された短縮速度が増加するように補正する。これにより、すすぎ水位が高いほど、短縮速度が速くなるように、短縮速度が補正される。それは、給湯すすぎ工程において、すすぎ水位が高いほど、ドラム２２内の水が撹拌され、ドラム２２内のオゾンが撹拌される水と衝突して消費されやすいからである。
【０１０３】
また、補正部１８０ｃは、図１２に示すように、すすぎ時間ＴｔがＴｔ１より低い場合に、短縮速度補正値をΔＴｔ１に決定し、すすぎ水温ＴｔがＴｔ１以上且つＴｔ２より低い場合に、短縮速度補正値をΔＴｔ２に決定し、すすぎ水温ＴｔがＴｔ２以上の場合に、短縮速度補正値をΔＴｔ３に決定する。図１２において、Ｔｔ１＜Ｔｔ２であり、０＜ΔＴｔ１＜ΔＴｔ２＜ΔＴｔ３である。
【０１０４】
したがって、補正部１８０ｃは、短縮速度補正値の分、短縮速度決定部１８０ｂにより決定された短縮速度が増加するように補正する。これにより、すすぎ時間が長いほど、短縮速度が速くなるように、短縮速度が補正される。それは、給湯すすぎ工程において、すすぎ時間が長いほど、ドラム２２内のオゾンが撹拌される水と衝突して消費されやすいからである。
【０１０５】
本実施形態において、ドアロック時間及び短縮速度が決定される手順について、図１３に基づいて説明する。
【０１０６】
＜ステップＳ２０１＞
ステップＳ２０１において、除菌すすぎ工程が開始されると、制御部８０は、オゾン給水バルブ５２ａを開にすると共に、オゾン電極６３の通電を開始して、オゾン給水路５２を介して、ドラム２２にオゾン水の給水を開始する。
【０１０７】
＜ステップＳ２０２＞
ステップＳ２０２において、制御部８０は、ドラム２２内の水位がオゾンすすぎ設定水位に到達するまで、ドラム２２にオゾン水の給水を継続する。
【０１０８】
＜ステップＳ２０３＞
ドラム２２内の水位がオゾンすすぎ設定水位に到達すると、ステップＳ２０３において、制御部８０は、オゾン給水バルブ５２ａを閉にすると共に、オゾン電極６３の通電を停止して、オゾン水の給水を停止する。
【０１０９】
＜ステップＳ２０４＞
ステップＳ２０４において、制御部８０は、給水温度として、水温検出センサ８５によりドラム２２内の水温を検出する。したがって、制御部８０は、オゾン給水路５２に配置されたオゾン電極６３に供給される水の温度と略同一温度である給水温度Ｔｐを検知する。
【０１１０】
＜ステップＳ２０５＞
ステップＳ２０５において、制御部８０は、給水温度がＴｐ１℃より低いか否かを判定する。
【０１１１】
＜ステップＳ２０６＞
ステップＳ２０５で、制御部８０が、給水温度がＴｐ１℃より低いと判定した場合、ステップＳ２０６において、制御部８０は、ドアロック時間をＴ１に決定すると共に、短縮速度をΔＴ１’に決定して、処理を終了する。
【０１１２】
＜ステップＳ２０７＞
ステップＳ２０５で、制御部８０が、給水温度がＴｐ１℃以上と判定した場合、ステップＳ２０７に進んで、制御部８０は、給水温度がＴｐ２℃より低いか否かを判定する。
【０１１３】
＜ステップＳ２０８＞
ステップＳ２０７で、制御部８０が、給水温度がＴｐ２℃より低いと判定した場合、ステップＳ２０８において、制御部８０は、ドアロック時間をＴ２に決定すると共に、短縮速度をΔＴ２’に決定して、処理を終了する。
【０１１４】
＜ステップＳ２０９＞
ステップＳ２０７で、制御部８０が、給水温度がＴｐ２℃以上と判定した場合、ステップＳ２０９に進んで、制御部８０は、ドアロック時間をＴ３に決定すると共に、短縮速度をΔＴ３’に決定して、処理を終了する。
【０１１５】
本実施形態において、ドアロック時間の短縮速度が決定される手順について、図１４に基づいて説明する。
【０１１６】
＜ステップＳ３０１＞
ステップＳ３０１において、給湯すすぎ工程が開始されると、制御部８０は、給湯バルブ５３ａを開にして、給湯路５３を介して、ドラム２２に給湯を行う。
【０１１７】
＜ステップＳ３０２＞
ステップＳ３０２において、制御部８０は、ドラム２２内のすすぎ水位が設定水位に到達するまで、ドラム２２に給湯を継続する。
【０１１８】
＜ステップＳ３０３＞
ドラム２２内のすすぎ水位が設定水位に到達すると、ステップＳ３０３において、制御部８０は、給湯バルブ５３ａを閉にして、給湯を停止する。
【０１１９】
＜ステップＳ３０４＞
ステップＳ３０４において、制御部８０は、給湯すすぎ工程におけるすすぎ水温として、水温検出センサ８５によりドラム２２内の水温を検出する。したがって、制御部８０は、ドラム２２内に給湯された後のすすぎ水温Ｔｓを検知する。
【０１２０】
＜ステップＳ３０５＞
ステップＳ３０５において、制御部８０は、ステップＳ３０３で検出されたすすぎ水温ＴｓがＴｓ１℃より低いか否かを判定する。
を検知する。
【０１２１】
＜ステップＳ３０６＞
ステップＳ３０５で、制御部８０が、すすぎ水温ＴｓがＴｓ１℃より低いと判定した場合、ステップＳ３０６において、制御部８０は、短縮速度をΔＴ１に決定して、ステップＳ３１０に進む。
【０１２２】
＜ステップＳ３０７＞
ステップＳ３０５で、制御部８０が、すすぎ水温ＴｓがＴｓ１℃以上と判定した場合、ステップＳ３０７に進んで、制御部８０は、すすぎ水温ＴｓがＴｓ２℃より低いか否かを判定する。
【０１２３】
＜ステップＳ３０８＞
ステップＳ３０７で、制御部８０が、すすぎ水温ＴｓがＴｓ２℃より低いと判定した場合、ステップＳ３０８において、制御部８０は、短縮速度をΔＴ２に決定して、ステップＳ３１０に進む。
【０１２４】
＜ステップＳ３０９＞
ステップＳ３０７で、制御部８０が、すすぎ水温ＴｓがＴｓ２℃以上と判定した場合、ステップＳ３０９に進んで、制御部８０は、短縮速度をΔＴ３に決定して、ステップＳ３１０に進む。
【０１２５】
＜ステップＳ３１０＞
ステップＳ３１０において、制御部８０は、給湯すすぎ工程におけるすすぎ水位ＨｔがＨ１より低いか否かを判定する。
【０１２６】
＜ステップＳ３１１＞
ステップＳ３１０で、制御部８０が、すすぎ水位ＨｔがＨ１より低いと判定した場合、ステップＳ３１１において、制御部８０は、短縮速度補正値をΔＴｈ１に決定して、ステップＳ３１５に進む。
【０１２７】
＜ステップＳ３１２＞
ステップＳ３１０で、制御部８０が、すすぎ水位ＨｔがＨ１以上と判定した場合、ステップＳ３１２に進んで、制御部８０は、すすぎ水位ＨｔがＨ２より低いか否かを判定する。
【０１２８】
＜ステップＳ３１３＞
ステップＳ３１２で、制御部８０が、すすぎ水位ＨｔがＨ２より低いと判定した場合、ステップＳ３１３において、制御部８０は、短縮速度補正値をΔＴｈ２に決定して、ステップＳ３１５に進む。
【０１２９】
＜ステップＳ３１４＞
ステップＳ３１２で、制御部８０が、すすぎ水位ＨｔがＨ２以上と判定した場合、ステップＳ３１４に進んで、制御部８０は、短縮速度補正値をΔＴｈ３に決定して、ステップＳ３１５に進む。
【０１３０】
＜ステップＳ３１５＞
ステップＳ３１５において、制御部８０は、給湯すすぎ工程におけるすすぎ時間ＴｔがＴｔ１より短いか否かを判定する。
【０１３１】
＜ステップＳ３１６＞
ステップＳ３１５で、制御部８０が、すすぎ時間ＴｔがＴｔ１より短いと判定した場合、ステップＳ３１６において、制御部８０は、短縮速度補正値をΔＴｔ１に決定して、ステップＳ３２０に進む。
【０１３２】
＜ステップＳ３１７＞
ステップＳ３１５で、制御部８０がすすぎ時間ＴｔがＴｔ１以上と判定した場合、ステップＳ３１７に進んで、制御部８０は、すすぎ時間ＴｔがＴｔ２より短いか否かを判定する。
【０１３３】
＜ステップＳ３１８＞
ステップＳ３１７で、制御部８０が、すすぎ時間ＴｔがＴｔ２より短いと判定した場合、ステップＳ３１８において、制御部８０は、短縮速度補正値をΔＴｔ２に決定して、ステップＳ３２０に進む。
【０１３４】
＜ステップＳ３１９＞
ステップＳ３１７で、制御部８０が、すすぎ時間ＴｔがＴｔ２以上と判定した場合、ステップＳ３１９に進んで、制御部８０は、短縮速度補正値をΔＴｔ３に決定して、ステップＳ３２０に進む。
【０１３５】
＜ステップＳ３２０＞
ステップＳ３２０において、制御部８０は、ステップＳ３０６、Ｓ３０８、Ｓ３０９のいずれかで決定された短縮速度を、ステップＳ３１１、Ｓ３１３、Ｓ３１４のいずれかで決定された短縮速度補正値と、ステップＳ３１６、Ｓ３１８、Ｓ３１９のいずれかで決定された短縮速度補正値とに基づいて補正して、短縮速度を決定する。
【０１３６】
例えば、ステップＳ３０６で短縮速度がΔＴ１に決定され、ステップＳ３１１で短縮速度補正値がΔＴｈ１に決定され、ステップＳ３１６で短縮速度補正値がΔＴｔ１に決定された場合、制御部８０は、ΔＴ１＋ΔＴｈ１＋ΔＴｔ１により短縮速度を決定する。
【０１３７】
本実施形態の洗濯機は、洗濯機本体１０内に配置されたドラム２２に通常の給水を行うための給水路５１と、ドラム２２にオゾン水の給水を行うためのオゾン給水路５２と、オゾン給水路５２内にオゾンを発生させるオゾン電極６１と、ドラム２２に給湯を行うための給湯路５３と、ドラム２２内における水温を検出する水温検出センサ８５と、洗濯機本体１０に開閉可能に設けられたドア１２をロック状態またはロック解除状態に切り替えるドアロック装置８２を制御する制御手段である制御部８０と、オゾン給水路５２からドラム２２内にオゾン水が給水された状態ですすぎを行う除菌すすぎ工程におけるドラム２２内の水温に基づいて、ドア１２をロック状態に維持するドアロック時間を決定するドアロック時間決定手段であるドアロック時間決定部８０ａと、除菌すすぎ工程におけるドラム２２内の水温に基づいて、ドアロック時間の第１短縮速度を決定する第１短縮速度決定手段である短縮速度決定部８０ｂと、除菌すすぎ工程が行われた後に給湯路５３からドラム２２に給湯が行われた状態で実施される給湯すすぎ工程におけるドラム２２内の水温に基づいて、ドアロック時間の第２短縮速度を決定する第２短縮速度決定手段である短縮速度決定部８０ｂとを備え、除菌すすぎ工程が行われた後において給湯すすぎ工程が行われるまでは、ドアロック時間を第１短縮速度に基づいて短縮し、給湯すすぎ工程が行われた後は、ドアロック時間を第２短縮速度に基づいて短縮する。
【０１３８】
本実施形態の洗濯機では、除菌すすぎ工程が行われた後において給湯すすぎ工程が行われるまでは、ドアロック時間が、除菌すすぎ工程におけるドラム２２内の水温に基づいて決定された第１短縮速度に基づいて短縮され、給湯すすぎ工程が行われた後は、ドアロック時間が、給湯すすぎ工程におけるドラム２２内の水温に基づいて決定された第２短縮速度に基づいて短縮される。したがって、除菌すすぎ工程が行われた後において給湯すすぎ工程が行われる場合に、給湯すすぎ工程におけるドラム２２内の水温に基づいて、ドアロック時間の短縮速度を再設定できる。よって、ドアロック時間を適正に短縮して、ドアのロック解除を行うことが可能である。
【０１３９】
本実施形態の洗濯機は、給湯すすぎ工程におけるドラム２２内の水位が高いほど短縮速度が速くなるように、短縮速度を補正する短縮速度補正手段である補正部８０ｃを備える。
【０１４０】
これにより、本実施形態の洗濯機では、給湯すすぎ工程におけるドラム２２内の水位に基づいて、ドアロック時間の短縮速度を適正に補正することが可能である。
【０１４１】
本実施形態の洗濯機は、給湯すすぎ工程におけるすすぎ時間が長いほど短縮速度が速くなるように、短縮速度を補正する短縮速度補正手段である補正部８０ｃを備える。
【０１４２】
これにより、本実施形態の洗濯機では、給湯すすぎ工程におけるすすぎ時間に基づいて、ドアロック時間の短縮速度を適正に補正することが可能である。
【０１４３】
（第３実施形態）
本発明の第３実施形態の洗濯機について、図１５に基づいて説明する。
【０１４４】
本実施形態の洗濯機が第１実施形態の洗濯機１と主に異なる点は、本実施形態では、除菌すすぎ工程が行われた後において、脱水工程が中止された場合、給湯路５３からドラム２２に給湯が行われる点である。本実施形態の洗濯機の構成において、第１実施形態の洗濯機１と同様の構成については説明を省略する。
【０１４５】
制御部２８０は、図１５に示すように、ドアロック時間決定部８０ａと、短縮速度決定部８０ｂと、給湯温度記憶手段８０ｃと、偏芯検出部２８０ｄとを有している。また、制御部２８０には、操作部８１と、モータ３０と、給水バルブ５１ａと、排水バルブ５４ａと、オゾン給水バルブ５２ａと、オゾン発生装置６１と、ドアロック装置８２と、振動スイッチ３１とが接続されている。
【０１４６】
本実施形態において、外槽２０には、ドラム２２の回転に起因する振動によってオン／オフする振動スイッチ３１が取り付けられている。
【０１４７】
偏芯検出部２８０ｄは、振動スイッチ３１からの検出信号に基づいて、脱水工程においてドラム２２が回転されている際に、ドラム２２内の洗濯物の偏り（偏芯）を検出する。具体的には、偏芯検出部２８０ｄは、振動スイッチ３１のオン、オフ信号において、オフ時間の間隔が所定時間より長い場合に、ドラム２２の振動を異常振動とみなし、ドラム２２内の洗濯物の偏りが所定の偏り以上であることを検出する。即ち、偏芯検出部２８０ｄは、洗濯物がドラム２２の周壁に均等に張り付かずに、所定量以上の偏りが発生した場合に、ドラム２２内の洗濯物の偏りが所定の偏り以上であることを検出する。本実施形態の洗濯機では、ドラム２２内の洗濯物の偏りが所定の偏り以上である場合、脱水工程が中断され、ほぐし運転が行われるが、脱水工程の中断が２以上の所定回数繰り返されると、脱水工程が中止される。
【０１４８】
本実施形態の洗濯機は、第１実施形態の洗濯機１と同様の効果を得ることが可能である。
【０１４９】
本実施形態の洗濯機は、洗濯機本体１０内に配置されたドラム２２に通常の給水を行うための給水路５１と、ドラム２２にオゾン水の給水を行うためのオゾン給水路５２と、オゾン給水路５２内にオゾンを発生させるオゾン電極６３と、ドラム２２に給湯を行うための給湯路５３と、ドラム２２内の洗濯物の偏りを検出する偏芯検出手段である偏芯検出部２８０ｄとを備え、オゾン給水路５２からドラム２２内にオゾン水が給水された状態ですすぎを行う除菌すすぎ工程が行われた後で脱水工程を行うものであり、脱水工程において偏芯検出部２８０ｄで検出される洗濯物の偏りが所定の偏り以上であることにより脱水工程が中止された場合、給湯路５３からドラム２２に給湯が行われる。
【０１５０】
これにより、本実施形態の洗濯機では、洗濯物の偏りが大きいことにより脱水工程が中止された場合に、ドラム２２に給湯を行うことで、ドラム２２内においてオゾン分解が促進し、ドラム２２内のオゾン濃度が十分に低下するまでの時間を短縮することが可能である。
【０１５１】
以上、本発明の実施形態について説明したが、各部の具体的な構成は上述した実施形態のみに限定されるものではない。
【０１５２】
上記第１〜第３実施形態では、ドラム２２が、水平方向に対して傾斜方向に延びる回転軸周りに回転するが、ドラム２２は、水平方向に延びる回転軸周りに回転してよい。また、本発明は、鉛直方向に延びる回転軸周りに回転するドラムを備えた洗濯機に適用可能である。
【０１５３】
上記第２実施形態では、ドラム２２内の水温を検出する水温検出センサ８５で検出された水温を、除菌すすぎ工程が行われる場合にオゾン電極６３に供給される水の温度である給水温度としたが、例えば、集中導入部５７においてドラム２２内に給水される水の温度を検出する給水温度センサを備え、その給水温度センサで検出された水温を、除菌すすぎ工程が行われる場合にオゾン電極６３に供給される水の温度である給水温度とすることが可能である。また、オゾン給水路５２においてオゾン電極６３に供給される水の温度を検出する給水温度センサを備えてよい。
【０１５４】
上記実施形態では、図５の短縮速度、図１０のドアロック時間、図１１の短縮速度補正値、図１２の短縮速度補正値を３段階で切り替えているが、切り替える段階の数は、それに限られない。
【０１５５】
上記実施形態では、乾燥機能を有しない洗濯機１について説明したが、本発明は、乾燥機能を有する洗濯機に適用可能である
【符号の説明】
【０１５６】
１  洗濯機
１０  洗濯機本体
１２  ドア
２２  ドラム
５１  給水路
５２  オゾン給水路
５２ａ  オゾン給水バルブ
６３  オゾン電極
８０  制御部（制御手段）
８０ａ、１８０ａ  ドアロック時間決定部（ドアロック時間決定手段）
８０ｂ、１８０ｂ  短縮速度決定部（短縮速度決定手段、第１短縮速度決定手段、第２短縮速度決定手段）
８５  水温検出センサ
１８０ｃ  短縮速度補正部（短縮速度補正手段）
２８０ｄ  偏芯検出部（偏芯検出手段）
【図１】
2020103567.tif 000003
【図２】
2020103567.tif 000004
【図３】
2020103567.tif 000005
【図４】
2020103567.tif 000006
【図５】
2020103567.tif 000007
【図６】
2020103567.tif 000008
【図７】
2020103567.tif 000009
【図８】
2020103567.tif 000010
【図９】
2020103567.tif 000011
【図１０】
2020103567.tif 000012
【図１１】
2020103567.tif 000013
【図１２】
2020103567.tif 000014
【図１３】
2020103567.tif 000015
【図１４】
2020103567.tif 000016
【図１５】
2020103567.tif 000017
【図１６】
2020103567.tif 000018